(57)【要約】      （修正有）【課題】  部品を容易に取り外すことが出来る取り外し工具を実現する。【解決手段】断面渦巻き状で筒状をなし薄板からなる把持スプリング１１と、この把持スプリングの一端側に一端側が挿入されるハンドルシャフト１２と、このハンドルシャフトの前記一端側に設けられ前記把持スプリングの内側端を固定する内側端固定手段１３と、前記把持スプリングが挿入されるスリーブ１４と、このスリーブに設けられ前記把持スプリングの外側端を固定する外側端固定手段とを具備したことを特徴とする取り外し工具である。【選択図】図１０
2006297493.tif 000002
【特許請求の範囲】
【請求項１】
断面渦巻き状で筒状をなし薄板からなる把持スプリングと、
この把持スプリングの一端側に一端側が挿入されるハンドルシャフトと、
このハンドルシャフトの前記一端側に設けられ前記把持スプリングの内側端を固定する内側端固定手段と、
前記把持スプリングが挿入されるスリーブと、
このスリーブに設けられ前記把持スプリングの外側端を固定する外側端固定手段と
を具備したことを特徴とする取り外し工具。
【請求項２】
前記把持スプリングの他端側に設けられた切欠き部
を具備したことを特徴とする請求項１記載の取り外し工具。
【請求項３】
前記内側端固定手段は、このハンドルシャフトの前記一端側に設けられ前記把持スプリングの内側端が挿入固定される第１のスリット
を具備したことを特徴とする請求項１又は請求項２記載の取り外し工具。
【請求項４】
前記外側端固定手段は、前記スリーブに設けられ前記把持スプリングの外側端が挿入固定される第２のスリット
を具備したことを特徴とする請求項１乃至請求項３の何れかに記載の取り外し工具。
【請求項５】
前記ハンドルシャフトから前記スリーブが抜けることを防止する抜け止め手段
を具備したことを特徴とする請求項１乃至請求項４の何れかに記載の取り外し工具。
【請求項６】
前記抜け止め手段は、前記ハンドルシャフトの他端側に回転自由に係止された係止リングと、
この係止リングに前記スリーブを固定する固定手段と
を具備したことを特徴とする請求項５記載の取り外し工具。
【発明の詳細な説明】
【技術分野】
【０００１】
本発明は、部品を容易に取り外すことが出来る取り外し工具に関するものである。
【背景技術】
【０００２】
取り外し工具に関連する先行技術文献としては次のようなものがある。
【０００３】
【特許文献１】特開平５−２９４４４号公報
【特許文献２】特開平５−８４２５４号公報
【０００４】
図１３は従来より一般に使用されている従来例の構成説明図、図１４は図１３の動作説明図、図１５は図１３の動作説明図で（ａ）は正面図（ｂ）は要部平面図、図１６は図１３の動作説明図で（ａ）は正面図（ｂ）は要部平面図、図１７は図１３の動作説明図で（ａ）は正面図（ｂ）は要部平面図である。
【０００５】
図１３において、１はピンセットである。
このようなピンセット１を用いて、例えば、図１４に示す製品のフィルタエレメントを交換する作業が発生する。
図１４において、ａはボディ、ｂはガスケット、ｃはフィルタエレメント、ｄはガスケット、ｅはブッシング、ｆはナットである。
なお、図１４（ｂ）においては、分かりやすいように、ガスケットｄ、ブッシングｅ、ナットｆが外されてる。
【０００６】
図１５に示す如く、ピンセット１を使い、フィルタエレメントｃを取り外す場合、図１５（ｂ）に示す如く、２点による掴み込みのため確実につかめず、滑りやすい。フィルタエレメントｃの固着状態によっては取り外せないことがある。
即ち、適度な拘束力を得にくい。
【０００７】
図１６に示す如く、ラジオペンチまたは先端を専用に加工したペンチ２を使い、フィルタエレメントｃを取り外す場合、図１６（ｂ）に示す如く、２点による掴み込みが強すぎて、２点のみで、力を入れすぎると対象物を破損する。
【０００８】
図１７に示す如く、ゴムまたはビニールのチューブ３を使い、フィルタエレメントｃを取り外す場合、図１６（ｂ）に示す如く、円周面摩擦のみで、拘束力を制御できない。
【０００９】
上記の如く、ボディａからフィルタエレメントｃを取り出すには、ピンセット・ラジオペンチ、ゴム・ビニル管等の汎用工具で掴み出す。
【発明の開示】
【発明が解決しようとする課題】
【００１０】
しかしながら、このような作業においては、以下の間題点がある。
ピンセット等の汎用工具を用いフィルタエレメントｃを掴み出す場合、２点のみの掴み込みであるため、摩擦力が弱く容易に摘み出せない。
ペンチ等では、強い拘束力を２点に集中させるため、対象物を破損する可能性がある。
ゴム・ビニル管では拘束力を制御できず、ゴム・ビニル管の劣化によりその力が弱くなる。
無理に作業すると、製品の破損や、作業者が怪我をすることがある。
【００１１】
本発明の目的は、上記の課題を解決するもので、円柱・円筒形対象物を軸方向に拘束する際、円周面に均一に拘束力を与え、またその力を制御出来、部品を容易に取り外すことが出来る取り外し工具を提供することにある。
【課題を解決するための手段】
【００１２】
このような課題を達成するために、本発明では、請求項１の取り外し工具においては、
断面渦巻き状で筒状をなし薄板からなる把持スプリングと、この把持スプリングの一端側に一端側が挿入されるハンドルシャフトと、このハンドルシャフトの前記一端側に設けられ前記把持スプリングの内側端を固定する内側端固定手段と、前記把持スプリングが挿入されるスリーブと、このスリーブに設けられ前記把持スプリングの外側端を固定する外側端固定手段と、を具備したことを特徴とする。
【００１３】
本発明の請求項２の取り外し工具においては、請求項１記載の取り外し工具において、
前記把持スプリングの他端側に設けられた切欠き部を具備したことを特徴とする。
【００１４】
本発明の請求項３の取り外し工具においては、請求項１又は請求項２記載の取り外し工具において、
前記内側端固定手段は、このハンドルシャフトの前記一端側に設けられ前記把持スプリングの内側端が挿入固定される第１のスリットを具備したことを特徴とする。
【００１５】
本発明の請求項４の取り外し工具においては、請求項１乃至請求項３の何れかに記載の取り外し工具において、
前記外側端固定手段は、前記スリーブに設けられ前記把持スプリングの外側端が挿入固定される第２のスリットを具備したことを特徴とする。
【００１６】
本発明の請求項５の取り外し工具においては、請求項１乃至請求項４の何れかに記載の取り外し工具において、
前記ハンドルシャフトから前記スリーブが抜けることを防止する抜け止め手段を具備したことを特徴とする。
【００１７】
本発明の請求項６の取り外し工具においては、請求項５記載の取り外し工具において、
前記抜け止め手段は、前記ハンドルシャフトの他端側に回転自由に係止された係止リングと、この係止リングに前記スリーブを固定する固定手段とを具備したことを特徴とする。
【発明の効果】
【００１８】
本発明の請求項１によれば、次のような効果がある。
１)取り外し対象物の外円周全体にほぼ均一に把持力が作用することができる取り外し工具が得られる。
２)上記把持力を制御することができる取り外し工具が得られる。
３)対象物に均一で最小限の力を加えることができる取り外し工具が得られる。
４)外周面全体による十分な摩擦力が得られることができる取り外し工具が得られる。
５)易損対象物に対して必要最小限で効果的な把持力を作用させることができる取り外し工具が得られる。
６)対象物の引き抜き方向から作業することができる取り外し工具が得られる。
７)座グリ部に格納された対象物を取り外すことができる取り外し工具が得られる。
【００１９】
本発明の請求項２によれば、次のような効果がある。
１)ハンドルシャフトへ把持スプリングを固定しやすい取り外し工具が得られる。
２)スリーブへ把持スプリングを固定しやすい取り外し工具が得られる。
３)把持部の機械的強度を設定しやすい取り外し工具が得られる。
４)構造物の座グリ部に格納された対象物との空隙寸法に適合しやすい取り外し工具が得られる。
【００２０】
本発明の請求項３によれば、次のような効果がある。
把持スプリングをハンドルシャフトに容易に固定できる取り外し工具が得られる。
【００２１】
本発明の請求項４によれば、次のような効果がある。
把持スプリングをスリーブに容易に固定できる取り外し工具が得られる。
【００２２】
本発明の請求項５によれば、次のような効果がある。
１)把持スプリングの内側端と外側端が、軸方向へ平行にずれて、把持スプリングが円錐状に変形しない取り外し工具が得られる。
２)ハンドルシャフトとスリーブが分離しない取り外し工具が得られる。
【００２３】
本発明の請求項６によれば、次のような効果がある。
１)ハンドルシャフトとスリーブが円滑に回転動作する取り外し工具が得られる。
２)把持スプリングが円滑に巻き閉め動作する取り外し工具が得られる。
【発明を実施するための最良の形態】
【００２４】
以下本発明を図面を用いて詳細に説明する。
図１は本発明の一実施例の要部構成説明図、図２は図１の断面図、図３は図１の斜視図、図４は図１の部品展開図で（ａ）は正面図（ｂ）は側面図（ｃ）は成形後の図、図５は図１の部品図で（ａ）は正面図（ｂ）は側面図、図６は図１の部品図で（ａ）は正面図（ｂ）は側面図、図７は図１の部品図で（ａ）は正面図（ｂ）は側面図、図８は図１の部品図で（ａ）は正面図（ｂ）は側面図、図９は図１の動作説明図、図１０は図１の動作説明図、図１１は図１の動作説明図、図１２は図１の動作説明図である。
【００２５】
把持スプリング１１は、図４に示す如く、断面渦巻き状で筒状をなし薄板からなる。
切欠き部１１１は、把持スプリング１１の他端側１１２に設けられている。
ハンドルシャフト１２は、この把持スプリング１１の一端側１１３に一端側が挿入される。
把持スプリング１１は、一端側１１３で締め込み力を発生し、他端側１１２で対象物を拘束する。
【００２６】
内側端固定手段１３は、ハンドルシャフト１２の一端側に設けられ、把持スプリング１１の内側端１１４を固定する。
この場合は、内側端固定手段１３は、このハンドルシャフト１２の一端側に設けられ把持スプリングの内側端１１４が挿入固定される第１のスリットを有する。
スリーブ１４は、把持スプリング１１の一端側１１３が挿入される。
【００２７】
外側端固定手段１５は、このスリーブ１４に設けられ、把持スプリング１１の外側端１１５を固定する。
この場合は、外側端固定手段１５は、スリーブ１４に設けられ、把持スプリングの外側端１１５が挿入固定される第２のスリットを有する。
図２に示す如く、ノブ１６はハンドルシャフト１２の他端側に設けられている。
【００２８】
抜け止め手段１７は、ハンドルシャフト１２からスリーブ１４が抜けることを防止する。
抜け止め手段１７は、この場合は、ハンドルシャフト１２の他端側に回転自由に係止された係止リング１７１と、この係止リング１７１にスリーブ１４を固定する固定手段１７２とを有する。
この場合は、固定手段１７２はねじからなる。
【００２９】
以上の構成において、ハンドルシャフト１２の第１のスリット１３に把持スプリング１１の内側端１１４を差込み固定し、把持スプリング１１の外側端１１５をスリーブ１４の第２のスリット１５に差込み折り曲げ固定する。
【００３０】
次に、図９に示す如く、対象物Ａを把持スプリング１１の内周部分に差し込む。
図１０に示す如く、Ｂ方向から見て、ノブ１６とハンドルシャフト１２とを反時計回りに、係止リング１７１とスリーブ１４とを時計回りに回転させ、把持スプリング１１を絞り込むことで対象物Ａを掴む。
ノブ１６とハンドルシャフト１２を軸方向に移動させることにより対象物Ａを引き抜く。
前述の、ボディａからフィルターｃを取り外す実際例について、図１１に示す。
【００３１】
この結果、
取り外し対象物の外円周全体にほぼ均一に把持力が作用することができる取り外し工具が得られる。
上記把持力を制御することができる取り外し工具が得られる。
対象物に均一で最小限の力を加えることができる取り外し工具が得られる。
【００３２】
外周面全体による十分な摩擦力が得られることができる取り外し工具が得られる。
易損対象物に対して必要最小限で効果的な把持力を作用させることができる取り外し工具が得られる。
対象物の引き抜き方向から作業することができる取り外し工具が得られる。
座グリ部に格納された対象物を取り外すことができる取り外し工具が得られる。
【００３３】
切欠き部１１１が把持スプリング１１の他端側１１２に設けられたので、次のような効果がある。
ハンドルシャフト１２へ把持スプリング１１を固定しやすい取り外し工具が得られる。
スリーブ１４へ把持スプリング１１を固定しやすい取り外し工具が得られる。
把持部の機械的強度を設定しやすい取り外し工具が得られる。
構造物の座グリ部に格納された対象物Ａとの空隙寸法に適合しやすい取り外し工具が得られる。
【００３４】
内側端固定手段１３は、このハンドルシャフト１２の一端側に設けられ、把持スプリング１１の内側端１１４が挿入固定される第１のスリット１３が設けられたので、次のような効果がある。
把持スプリング１１をハンドルシャフト１２に容易に固定できる取り外し工具が得られる。
【００３５】
外側端固定手段１５は、スリーブ１４に設けられ、把持スプリング１１の外側端１１５が挿入固定される第２のスリット１５が設けられたので、次のような効果がある。
把持スプリング１１をスリーブ１４に容易に固定できる取り外し工具が得られる。
【００３６】
ハンドルシャフト１２からスリーブ１１が抜けることを防止する抜け止め手段１７が設けられたので、次のような効果がある。
把持スプリング１１の内側端１１４と外側端１１５が、軸方向へ平行にずれて、把持スプリング１１が円錐状に変形しない取り外し工具が得られる。
ハンドルシャフト１２とスリーブ１４が分離しない取り外し工具が得られる。
【００３７】
抜け止め手段１７は、ハンドルシャフト１２の他端側に回転自由に係止された係止リング１７１と、この係止リング１７１にスリーブ１４を固定する固定手段１７２とが設けられたので、次のような効果がある。
ハンドルシャフト１２とスリーブ１４が円滑に回転動作する取り外し工具が得られる。
把持スプリング１１が円滑に巻き閉め動作する取り外し工具が得られる。
【００３８】
要するに、図１２に示す如く、装置Ｃの狭い隙間Ｄの中に格納されている円筒状の対象物Ａを引き出すに当たり、ゼンマイ状で、薄板状の把持スプリング１１を差し込み、巻き閉めることで対象物Ａを容易に引き抜くことが出来る取り外し工具が得られる。
この取り外し工具は、コネクタピン引き抜き工具、表示灯・照光式スイッチ等のランプ・発光ダイオード交換工具、その他円筒・円柱形状の対象物Ａを軸方向に固定・拘束する工具または作業台に使用することが出来る取り外し工具が得られる。
【００３９】
なお、薄い帯状の把持スプリング１１で拘束するため、狭いギャップでも作業でき、対象物Ａの円周全体に均一に力が加わるため、壊れやすい対象物に効果的な取り外し工具が得られる。
【００４０】
なお、以上の説明は、本発明の説明および例示を目的として特定の好適な実施例を示したに過ぎない。
したがって本発明は、上記実施例に限定されることなく、その本質から逸脱しない範囲で更に多くの変更、変形をも含むものである。
【図面の簡単な説明】
【００４１】
【図１】本発明の一実施例の要部構成説明図である。
【図２】図１の断面図である。
【図３】図１の斜視図である。
【図４】図１の部品展開図で（ａ）は正面図（ｂ）は側面図（ｃ）は成形後の図である。
【図５】図１の部品図で（ａ）は正面図（ｂ）は側面図である。
【図６】図１の部品図で（ａ）は正面図（ｂ）は側面図である。
【図７】図１の部品図で（ａ）は正面図（ｂ）は側面図である。
【図８】図１の部品図で（ａ）は正面図（ｂ）は側面図である。
【図９】図１の動作説明図である。
【図１０】図１の動作説明図である。
【図１１】図１の動作説明図である。
【図１２】図１の動作説明図である。
【図１３】従来より一般に使用されている従来例の構成説明図である。
【図１４】図１３の動作説明図である。
【図１５】図１３の動作説明図で、（ａ）は正面図（ｂ）は要部平面図である。
【図１６】図１３の動作説明図で、（ａ）は正面図（ｂ）は要部平面図である。
【図１７】図１３の動作説明図で、（ａ）は正面図（ｂ）は要部平面図である。
【符号の説明】
【００４２】
１      ピンセット
２      ペンチ
３      チューブ
１１    把持スプリング
１１１  切欠き部
１１２  他端側
１１３  一端側
１１４  内側端
１１５  外側端
１２    ハンドルシャフト
１３    第１のスリット
１４    スリーブ
１５    第２のスリット
１６    ノブ
１７    抜け止め手段
１７１  係止リング
１７２  ねじ
Ａ      対象物
ａ      ボディ
ｂ      ガスケット
ｃ      フィルタエレメント
ｄ      ガスケット
ｅ      ブッシング
ｆ      ナット
【図１】
2006297493.tif 000003
【図２】
2006297493.tif 000004
【図３】
2006297493.tif 000005
【図４】
2006297493.tif 000006
【図５】
2006297493.tif 000007
【図６】
2006297493.tif 000008
【図７】
2006297493.tif 000009
【図８】
2006297493.tif 000010
【図９】
2006297493.tif 000011
【図１０】
2006297493.tif 000012
【図１１】
2006297493.tif 000013
【図１２】
2006297493.tif 000014
【図１３】
2006297493.tif 000015
【図１４】
2006297493.tif 000016
【図１５】
2006297493.tif 000017
【図１６】
2006297493.tif 000018
【図１７】
2006297493.tif 000019